(57)【特許請求の範囲】
【請求項１】
複数の動画像情報を少なくともそれぞれを特定する画像特定情報を含めて記録する複数の記録媒体を備え、これらの複数の記録媒体それぞれに記録されている複数の動画像情報の内の再生が指示された画像特定情報で特定される動画像情報を前記複数の記録媒体のいずれかから読み出して表示画面に再生表示させる動画像再生表示装置において、
前記複数の記録媒体それぞれに記録されている動画像情報の再生表示を開始させるための再生開始指示を受け付ける再生開始指示受付手段と、
該再生開始指示受付手段が再生開始指示を受け付けた場合に、前記複数の記録媒体それぞれに記録されている複数の動画像情報の内の所定の条件の動画像情報それぞれを前記複数の記録媒体それぞれに割り当てて前記表示画面を分割した表示領域にそれぞれ再生表示させる再生開始手段と、
前記再生開始指示受付手段が再生開始指示を受け付けた場合に、前記複数の記録媒体それぞれに記録されている複数の動画像情報それぞれを特定する画像特定情報の一覧を、前記表示画面の前記複数の記録媒体それぞれに割り当てられた表示領域にそれぞれ表示させる画像特定情報表示手段と、
該画像特定情報表示手段により前記表示画面の前記複数の記録媒体それぞれに割り当てられた表示領域に表示された画像特定情報の一覧の内のいずれか一つの選択を受け付ける選択受付手段と、
該選択受付手段が選択を受け付けた画像特定情報で特定される動画像情報を該動画像情報が記憶されている記録媒体から読み出させ、該記録媒体に割り当てられている前記表示画面の表示領域に再生表示させる選択画像再生手段と、
前記選択受付手段が選択を受け付けた画像特定情報で特定される動画像情報の再生の指示を受け付ける再生指示受付手段と
を備え、
前記再生指示受付手段が再生の指示を受け付けた場合に、前記画像特定情報表示手段は画像特定情報の表示を消去し、前記選択画像再生手段は表示中の動画像情報を前記表示画面に全画面表示で再生表示するようにしてあることを特徴とする動画像再生表示装置。
【請求項２】
前記画像特定情報表示手段は、前記複数の記録媒体それぞれに記録されている複数の動画像情報それぞれを特定する画像特定情報の一覧を、前記表示画面の前記複数の記録媒体それぞれに割り当てられた表示領域に再生表示される動画像情報に重畳して表示させるようにしてあることを特徴とする請求項１に記載の動画像再生表示装置。
【請求項３】
前記再生開始手段又は前記選択画像表示手段と前記画像特定情報表示手段とは、動画像情報と画像特定情報の一覧とを前記表示画面の前記複数の記録媒体それぞれに割り当てられた表示領域内で重畳しないように表示するようにしてあることを特徴とする請求項１に記載の動画像再生表示装置。
【請求項４】
前記複数の記録媒体それぞれに記録されている動画像情報にはそれぞれの記録開始及び終了時刻が付属情報として含まれており、また再生された場合には再生終了時刻が付属情報として含まれており、
前記再生開始手段により前記表示画面に再生表示される所定の条件の動画像情報は、前記複数の記録媒体それぞれに記録されている未再生の動画像情報の内の記録終了時刻が最も遅い動画像情報の記録終了時刻と前回再生された動画像情報の再生終了時刻との内のより遅い時刻の方の動画像情報であることを特徴とする請求項１から３のいずれか一つに記載の動画像再生表示装置。
【請求項５】
前記画像特定情報表示手段は、前記表示画面に前記複数の記録媒体毎に表示された画像特定情報の一覧の内の、前記再生開始手段により前記表示画面に再生表示された動画像情報に含まれる画像特定情報を他の画像特定情報とは異なる状態で表示させ、前記選択画像受付手段が画像特定情報の選択を受け付けた場合には、選択が受け付けられた画像特定情報を前記異なる状態で表示させるようにしてあることを特徴とする請求項１から４のいずれか一つに記載の動画像再生表示装置。
【発明の詳細な説明】
【技術分野】
【０００１】
本発明は複数の動画像情報を記録している記録媒体からいずれかの動画像情報を読み出して再生表示する動画像再生表示装置に関し、特に複数の記録媒体を備えた動画像再生表示装置に関する。
【背景技術】
【０００２】
近年、従来の磁気テープを使用するＶＴＲに代わって、ランダムアクセスが可能なハードディスク（ＨＤＤ），ＤＶＤ，ブルーレイディスク（ＢＤ）等を記録媒体として使用する動画像再生表示装置が急速に普及している。このような動画像再生表示装置は通常は記録装置としての機能をも兼ね備えており、一般的にはＴＶ放送の番組を動画像情報として記録媒体に記録し、再生することが可能な録画再生装置として利用されている。
【０００３】
また、上述のような装置は基本的には記録媒体としてＨＤＤを備え、更に記録媒体としてのＤＶＤ及び／又はＢＤにも直接、またはＨＤＤからのダビングにより動画像情報を記録し、再生することが可能である場合が多い。即ち、ＨＤＤを記録媒体とする録画再生装置ではＨＤＤ以外にもＤＶＤ及び／又はＢＤ等の記録媒体を備えており、これらの複数の記録媒体のいずれかから動画像情報を再生することが可能である。
【０００４】
ところで、上述のような複数の記録媒体を備えた従来の装置では、それぞれの記録媒体に複数の動画像情報、具体的にはＴＶ番組が録画されていることが一般的である。しかし、複数の記録媒体に記録されている複数の動画像情報の内のいずれかをユーザが再生させたい場合、従来は記録媒体を指定し、更にその記録媒体に記録されている複数の動画像情報を何らかの方法で指定する必要があった。たとえば、一つの記録媒体に記録されている複数の動画像情報それぞれを特定する特定情報としてのタイトルを文字情報で一覧表示させるか、各動画像情報の内容を示す静止画像又は動画像のサムネイルを特定情報として表示させ、ユーザがそれらの内からいずれか一つを指定する必要があった。
【０００５】
ところで、従来は動画像情報の内容を示す文字情報又はサムネイルのいずれであっても、ユーザは一覧表示からいずれかを選択して再生させる必要があった。従って、実際に再生された動画像情報がユーザが望んでいるものとは異なる場合には、ユーザは再生を停止させた後に記録媒体の選択を再度行ない、選択された記録媒体に記録されている複数の動画像情報を特定するための文字情報又はサムネイルの一覧を再度表示させ、希望する動画像情報の選択をしなおす必要があった。このため、ユーザが望む動画像情報が実際に再生されるまでには煩瑣な操作を反復する必要があると共に、かなりの時間を要する場合があった。
【０００６】
このような事情からたとえば特許文献１に示されているように、動画像情報のタイトル情報の一覧と、この一覧上で指定されているタイトル情報で特定される動画像情報の動画のサムネイルとを並列して表示し、タイトル情報の一覧上で異なるタイトル情報が指定された場合には新たに指定されたタイトル情報に応じた動画像情報の動画のサムネイルが表示されるようにした発明が知られている。
【特許文献１】特開２００３−６１０３９号公報
【発明の開示】
【発明が解決しようとする課題】
【０００７】
ところで、上述した特許文献１が開示している従来技術では、指定されたタイトル情報に応じてサムネイルが表示され、また複数の記録媒体が備えられている場合にはそれらの内の一つの記録媒体に関してタイトル情報の一覧及び動画サムネイルが表示される。従って、近年急速に普及している大画面のＴＶモニタではそれほどには問題にならないかもしれないが、比較的小型の画面のＴＶモニタではサムネイルが小さすぎて、ユーザがその内容を確認し難い可能性がある。また、複数の記録媒体が備えられている場合にそれらの内の一つのみに関してタイトル情報の一覧とサムネイルとが表示されるのでは、ユーザが望む動画像情報を記録媒体を指定した上でないと見付けることができない。
【０００８】
本発明は以上のような事情に鑑みてなされたものであり、従来のこの種の装置に比して目的の動画像情報をより容易に見付けることが可能であり、また複数の記録媒体が備えられている場合にも個々の記録媒体毎に動画像情報を探す必要がない動画像再生表示装置の提供を目的とする。
【課題を解決するための手段】
【０００９】
上述の課題を解決するために本発明は端的には、第１に、記録媒体に記録されている動画像情報を特定する特定情報としてのタイトル情報の一覧をサムネイルと並列表示するのではなく、全画面表示された再生画像上に重畳して表示する構成を採る。これにより、画面が比較的小さなＴＶモニタであっても選択されているタイトル情報で特定される動画像情報の内容をユーザが容易に確認することが可能になる。
【００１０】
また、第２に、表示装置（たとえばＴＶモニタ等）の画面を複数の表示領域に分割し、各表示領域それぞれに複数の記録媒体それぞれを対応させ、各表示領域にはそれぞれに対応する記録媒体に記録されている複数の動画像情報を特定するタイトル情報の一覧と指定されているタイトル情報で特定される動画像情報のサムネイルとをそれぞれ表示する構成を採る。これにより、ユーザは複数の記録媒体に記録されている複数の動画像情報を、記録媒体の切り換えを行なわずとも同一の画面で確認し、選択することが可能になる。
【００１１】
更に、第３に、表示装置の画面を複数の表示領域に分割し、それぞれに異なる記録媒体に記録されている動画像情報を特定するタイトル情報の一覧とこの一覧上で選択されている動画像情報の内容をサムネイルで表示したのでは個々の表示領域に表示されるサムネイルが小さくならざるを得ないので、各表示領域に動画像情報を全画面表示し、これにタイトル情報の一覧を重畳表示する構成を採る。これにより、表示装置の画面が複数に分割された個々の表示領域に表示される動画像情報の内容をユーザが容易に確認することが可能になる。
【００１８】
本発明に係る動画像再生表示装置は、複数の動画像情報を少なくともそれぞれを特定する画像特定情報を含めて記録する複数の記録媒体を備え、これらの複数の記録媒体それぞれに記録されている複数の動画像情報の内の再生が指示された画像特定情報で特定される動画像情報を前記複数の記録媒体のいずれかから読み出して表示画面に再生表示させる動画像再生表示装置において、前記複数の記録媒体それぞれに記録されている動画像情報の再生表示を開始させるための再生開始指示を受け付ける再生開始指示受付手段と、該再生開始指示受付手段が再生開始指示を受け付けた場合に、前記複数の記録媒体それぞれに記録されている複数の動画像情報の内の所定の条件の動画像情報それぞれを前記複数の記録媒体それぞれに割り当てて前記表示画面を分割した表示領域にそれぞれ再生表示させる再生開始手段と、前記再生開始指示受付手段が再生開始指示を受け付けた場合に、前記複数の記録媒体それぞれに記録されている複数の動画像情報それぞれを特定する画像特定情報の一覧を、前記表示画面の前記複数の記録媒体それぞれに割り当てられた表示領域にそれぞれ表示させる画像特定情報表示手段と、該画像特定情報表示手段により前記表示画面の前記複数の記録媒体それぞれに割り当てられた表示領域に表示された画像特定情報の一覧の内のいずれか一つの選択を受け付ける選択受付手段と、該選択受付手段が選択を受け付けた画像特定情報で特定される動画像情報を該動画像情報が記憶されている記録媒体から読み出させ、該記録媒体に割り当てられている前記表示画面の表示領域に再生表示させる選択画像再生手段と、前記選択受付手段が選択を受け付けた画像特定情報で特定される動画像情報の再生の指示を受け付ける再生指示受付手段とを備え、前記再生指示受付手段が再生の指示を受け付けた場合に、前記画像特定情報表示手段は画像特定情報の表示を消去し、前記選択画像再生手段は表示中の動画像情報を前記表示画面に全画面表示で再生表示するようにしてあることを特徴とする。
【００１９】
このような本発明に係る動画像再生表示装置では、再生指示受付手段が再生の指示を受け付けた場合に、画像特定情報表示手段により画像特定情報の表示が消去され、選択画像再生手段により表示中の動画像情報が表示画面に全画面表示で再生表示される。
【００２０】
また本発明に係る動画像再生表示装置は上記の動画像再生表示装置の発明において、前記画像特定情報表示手段は、前記複数の記録媒体それぞれに記録されている複数の動画像情報それぞれを特定する画像特定情報の一覧を、前記表示画面の前記複数の記録媒体それぞれに割り当てられた表示領域に再生表示される動画像情報に重畳して表示させるようにしてあることを特徴とする。
【００２１】
このような本発明に係る動画像再生表示装置では、上記の動画像再生表示装置の発明において、複数の記録媒体それぞれに記録されている複数の動画像情報それぞれを特定する画像特定情報の一覧が表示画面の複数の記録媒体それぞれに割り当てられた表示領域に再生表示される動画像情報に重畳して表示される。
【００２２】
また本発明に係る動画像再生表示装置は前記の動画像再生表示装置の発明において、前記再生開始手段又は前記選択画像表示手段と前記画像特定情報表示手段とは、動画像情報と画像特定情報の一覧とを前記表示画面の前記複数の記録媒体それぞれに割り当てられた表示領域内で重畳しないように表示するようにしてあることを特徴とする。
【００２３】
このような本発明に係る動画像再生表示装置では、上記の動画像再生表示装置の発明において、動画像情報と画像特定情報の一覧とが表示画面の複数の記録媒体それぞれに割り当てられた表示領域内で重畳しないように表示される。
【００２４】
また本発明に係る動画像再生表示装置は上記のいずれか一つの動画像再生表示装置の発明において、前記複数の記録媒体それぞれに記録されている動画像情報にはそれぞれの記録開始及び終了時刻が付属情報として含まれており、また再生された場合には再生終了時刻が付属情報として含まれており、前記再生開始手段により前記表示画面に再生表示される所定の条件の動画像情報は、前記複数の記録媒体それぞれに記録されている未再生の動画像情報の内の記録終了時刻が最も遅い動画像情報の記録終了時刻と前回再生された動画像情報の再生終了時刻との内のより遅い時刻の方の動画像情報であることを特徴とする。
【００２５】
このような本発明に係る動画像再生表示装置では、上記のいずれか一つの動画像再生表示装置の発明において、複数の記録媒体それぞれにおいて、記録されている未再生の動画像情報の内の記録終了時刻が最も遅い動画像情報の記録終了時刻と前回再生された動画像情報の再生終了時刻との内のより遅い時刻の方の動画像情報が表示画面のそれぞれの表示領域に再生表示される。
【００２６】
また本発明に係る動画像再生表示装置は上記のいずれか一つの動画像再生表示装置の発明において、前記画像特定情報表示手段は、前記表示画面に前記複数の記録媒体毎に表示された画像特定情報の一覧の内の、前記再生開始手段により前記表示画面に再生表示された動画像情報に含まれる画像特定情報を他の画像特定情報とは異なる状態で表示させ、前記選択画像受付手段が画像特定情報の選択を受け付けた場合には、選択が受け付けられた画像特定情報を前記異なる状態で表示させるようにしてあることを特徴とする。
【００２７】
このような本発明に係る動画像再生表示装置では、上記のいずれか一つの動画像再生表示装置の発明において、表示画面の複数の記録媒体それぞれに対応する表示領域に表示された画像特定情報の一覧の内の再生開始手段により表示画面に再生表示された動画像情報に含まれる画像特定情報が他の画像特定情報とは異なる状態で表示され、選択受付手段が画像特定情報の選択を受け付けた場合には、選択が受け付けられた画像特定情報が同様に異なる状態で表示される。
【発明の効果】
【００３１】
本発明に係る動画像再生表示装置によれば、複数の記録媒体に記録されている複数の動画像情報のそれぞれを特定する画像特定情報の一覧が、表示画面を各記録媒体に対応して分割した各表示領域に、再生表示されている画像上と共に表示され、画像特定情報が選択された場合にはそれによって特定される動画像情報が再生表示される。そして、再生指示受付手段が再生の指示を受け付けた場合に、画像特定情報表示手段により画像特定情報の表示が消去され、選択画像再生手段により表示中の動画像情報が表示画面に全画面表示で再生表示される。従って、ユーザは複数の記録媒体に記録されている動画像情報の内から視聴したい動画像情報を同一の画面で再生表示させつつ、再生の停止、選択、再度の再生開始という操作を行なうことなしに確認しつつ選択することが可能になる。
【００３２】
また本発明に係る動画像再生表示装置によれば上記の動画像再生表示装置の発明において、複数の記録媒体それぞれに記録されている複数の動画像情報それぞれを特定する画像特定情報の一覧が表示画面の複数の記録媒体それぞれに割り当てられた表示領域に再生表示される動画像情報に重畳して表示される。従って、ユーザは比較的大きく再生表示される動画像情報を確認することが可能になる。
【００３３】
また本発明に係る動画像再生表示装置によれば上記の動画像再生表示装置の発明において、動画像情報と画像特定情報の一覧とが表示画面の複数の記録媒体それぞれに割り当てられた表示領域内で重畳しないように表示される。従って、ユーザは比較的小さいが、他の情報が重畳して表示されない状態で再生表示される動画像情報を確認することが可能になる。
【００３４】
また本発明に係る動画像再生表示装置によれば上記のいずれか一つの動画像再生表示装置の発明において、複数の記録媒体それぞれにおいて、記録されている未再生の動画像情報の内の記録終了時刻が最も遅い動画像情報の記録終了時刻と前回再生された動画像情報の再生終了時刻との内のより遅い時刻の方の動画像情報が表示画面のそれぞれの表示領域に再生表示される。従って、複数の記録媒体それぞれにおいて新たな動画像情報が記録されていない場合には前回再生していた動画像情報が、新たな動画像情報が記録されている場合にはその動画像情報がそれぞれ初期表示用の動画像情報として選択されるので、ユーザにとっては視聴したい動画像情報をその時点で直ちに選択出来る可能性が高い。
【００３５】
また本発明に係る動画像再生表示装置によれば上記のいずれか一つの動画像再生表示装置の発明において、表示画面の複数の記録媒体それぞれに対応する表示領域に表示された画像特定情報の一覧の内の再生開始手段により表示画面に再生表示された動画像情報に含まれる画像特定情報が他の画像特定情報とは異なる状態で表示され、選択受付手段が画像特定情報の選択を受け付けた場合には、選択が受け付けられた画像特定情報が同様に異なる状態で表示される。従って、ユーザは現在再生表示されている動画像情報の特定情報、たとえばタイトル等を容易に知ることが可能である。
【発明を実施するための最良の形態】
【００３６】
以下、本発明に係る動画像再生表示装置（本発明装置）について、その一実施の形態を図面を参照して詳細に説明する。なお、以下においては本発明の一実施の形態として、記録媒体としてハードディスク（ＨＤＤ）とブルーレイディスク（ＢＤ）とを備えた例について説明するが、他の記録媒体同士の組み合わせでもよいことはいうまでもなく、また、２個の記録媒体の組み合わせに限らず、３個以上の記録媒体を備えている場合にも本発明を適用することが可能であることもいうまでもない。
【００３７】
図１は本発明に係る動画像再生表示装置１を、一般的なＴＶ放送を録画し、再生することが可能な録画再生装置として実現した場合の構成例を示すブロック図である。なお、この動画像再生表示装置１は、予めファームウェア等の形でインストールされた制御プログラムに従って動作するシステム制御部１８により全体が制御される。
【００３８】
図１において、参照符号１１はアンテナ端子であり、図示しないＴＶ放送の受信用のアンテナ（地上アナログ，地上デジタル，ＢＳ，ＣＳ放送等の少なくとも一つを受信可能）に接続される。このアンテナ端子１１にはチューナ部１２が接続されている。チューナ部１２は本発明装置全体を制御するシステム制御部１８から与えられる指示に応じたチャネルの電波からＴＶ信号（画像信号及び音声信号）を抽出して後述するグラフィックコントローラ１７と、第１，第２エンコード部１３１，１３２とへ出力する。
【００３９】
第１エンコード部１３１はチューナ部１２から与えられたＴＶ信号（画像信号及び音声信号）を第１記録媒体（本実施の形態ではＨＤＤとする）に記録するためのフォーマットのデータにエンコードして第１リード／ライト制御部１４１へ出力する。また、第２エンコード部１３２はチューナ部１２から与えられたＴＶ信号（画像信号及び音声信号）を第２記録媒体（本実施の形態ではＢＤとする）に記録するためのフォーマットのデータにエンコードして第２リード／ライト制御部１４２へ出力する。
【００４０】
第１リード／ライト制御部１４１は第１エンコード部１３１でエンコードされたデータをシステム制御部１８からライト命令が与えられている場合に第１記録媒体１５１に動画像情報として書き込み、最終的に一単位の動画像ファイルとして記録する。なお、以下においては動画像情報は音声情報も含んでいるものとする。また、第２リード／ライト制御部１４２は第２エンコード部１３２でエンコードされたデータをシステム制御部１８からライト命令が与えられている場合に第２記録媒体１５２に動画像情報として書き込み、最終的に一単位の動画像ファイルとして記録する。なお、この種の装置では同一のＴＶ信号は通常はいずれか一方の記録媒体１５１又は１５２にのみ記録することが可能である。但し、チューナ部１２を複数備え、同一の記録媒体１５１又は１５２に対して異なる異なるチューナ部からの異なるＴＶ信号（異なるチャネルの番組）を同時に記録することも、また異なるＴＶ信号をそれぞれ異なる記録媒体に記録することも可能な構成を採ることもできる。
【００４１】
上述のようにして両記録媒体１５１，１５２に記録された動画像ファイルはそれぞれが記録媒体に記録される際に適宜のタイトル情報（以下、タイトルという）、たとえば番組のタイトル（その他、チャンネル情報，放送日時等）を文字情報で取得可能なデジタルＴＶ放送等では番組のタイトルの文字情報をタイトルとして、番組のタイトルを文字情報で取得できない場合はたとえば記録（録画）開始時刻（年月日時分秒）のデータをタイトルとして、それぞれ動画像ファイルに付属情報として含んでいる。なお、ユーザが適宜の操作により各動画像ファイルにタイトルを付与することも勿論可能である。また、付属情報としては上記の情報の他に、各動画像ファイルの記録が終了した時刻、各動画像ファイルが再生された場合の再生終了時刻等も含まれる。
【００４２】
従って、システム制御部１８からたとえば第１記録媒体１５１に記録されている動画像ファイルを特定するタイトルが第１リード／ライト制御部１４１にリード命令と共に与えられることにより、その動画像ファイルが第１記録媒体１５１から第１リード／ライト制御部１４１により読み出されて第１デコード部１６１に与えられる。また、システム制御部１８から第２記録媒体１５２に記録されている動画像ファイルを特定するタイトルが第２リード／ライト制御部１４２にリード命令と共に与えられることにより、その動画像ファイルが第２記録媒体１５２から第２リード／ライト制御部１４２により読み出されて第２デコード部１６２に与えられる。
【００４３】
第１デコード部１６１は第１記録媒体１５１に記録するためのフォーマットにエンコードされていた動画像ファイルのデータをデジタルの画像データ及び音声データに復元してグラフィックコントローラ１７に与える。また、第２デコード部１６２は第２記録媒体１５２に記録するためのフォーマットにエンコードされていた動画像ファイルのデータをデジタルの画像データ及び音声データに復元してグラフィックコントローラ１７に与える。なお、グラフィックコントローラ１７には前述したようにチューナ部１２からも直接ＴＶ信号が与えられている。
【００４４】
グラフィックコントローラ１７はシステム制御部１８から与えられる命令に従って、チューナ部１２，第１デコード部１６１，第２デコード部１６２から入力される画像データ及び音声データを選択的にモニタ２０へ出力してその表示画面に画像を再生表示させる。なお、チューナ部１２から直接与えられるＴＶ信号がアナログ信号である場合は、グラフィックコントローラ１７においてデジタルの画像データ及び音声データに変換される。また、図１においては音声を再生するためのスピーカ等については公知の技術であるので省略している。更に、図１にはモニタ２０が備えられているような構成を示しているが、モニタ２０は本来は本発明装置には含まれておらず、たとえばＴＶ受像機のモニタ、独立したモニタに接続されていればよく、更にはモニタに代えてプロジェクタが接続されていてもよい。
【００４５】
システム制御部１８にはユーザインタフェイス部１９が接続されている。このユーザインタフェイス部１９はたとえば録画再生装置１に付属する操作パネルであってもよいし、操作パネルと少なくとも同等の機能を有するリモートコントロール装置であってもよいし、両者を備える構成であってもよい。また、動画再生表示装置１がたとえばパーソナルコンピュータに組み込まれているような場合には、ユーザインタフェイス部１９はキーボード及びマウスであってもよい。要するに、ユーザインタフェイス部１９はユーザの意思をシステム制御部１８に指示する機能を有していればよい。
【００４６】
ところで、グラフィックコントローラ１７は上述したような３系統の信号（画像データ及び音声データ）を選択的にモニタ２０（及びスピーカ）へ出力する処理のみならず、システム制御部１８による制御に応じて、３系統の入力信号に対して詳細は後述するが、たとえば複数系統の入力信号をモニタ２０に同時に表示したり（即ち、モニタ２０の画面に複数の動画像を表示したり）、種々のＯＳＤ表示を行なったり、等の種々の加工を行なうことが可能である。勿論、その際のシステム制御部１８による制御はユーザインタフェイス部１９を通じて入力されるユーザの指示を反映していることはいうまでもない。また、グラフィックコントローラ１７にはＯＳＤ用データメモリ１７０が接続されている。このＯＳＤ用データメモリ１７０には、グラフィックコントローラ１７へ入力される信号に対してグラフィックコントローラ１７が種々の加工を行なう際に必要な図形，文字フォント等のデータが予め記憶されている。
【００４７】
図２はユーザインタフェイス部１９としてのリモートコントロール装置（以下、リモコン装置３０という）に備えられた各種のボタン，スイッチ等の配置状態を示す模式図である。なお、以下においてはユーザインタフェイス部１９としてはリモコン装置３０を使用する例について説明するが、ユーザインタフェイス部１９は本発明装置に併設されている操作パネルであってもよいし、そのような操作パネルとリモコン装置３０との双方で同一の操作が行なえる構成であってもよい。
【００４８】
リモコン装置３０には、録画再生装置１の電源をオン／オフする電源ボタン３１，両記録媒体１５１，１５２に記録されている動画像ファイルのリストを表示させるための録画リストボタン３２，第１記録媒体１５１であるＨＤＤを指定するためのＨＤＤボタン３３，第２記録媒体であるＢＤを指定するためのＢＤボタン３４，ＴＶのチャンネルを切り換えるための「１」〜「１２」までの数字ボタンが配列されたチャネルボタン３５，モニタ２０の表示画面上で位置指定を行なうための十字キー３６，この十字キー３６によりモニタ２０の表示画面上で位置指定（選択）されているタイトル等の選択の決定を指示するための決定キー３７，各記録媒体１５１，１５２に記録されている動画像ファイルの再生表示を指示する再生キー３９，再生中の動画像ファイルの早戻しを指示する早戻しキー３８，同早送りを指示する早送りキー４０，同一時停止させる一時停止キー４１，同停止させるための停止キー４２，同チャプタ単位で再生位置をジャンプさせるジャンプキー４３及び４４等が配置されている。
【００４９】
次に、上述のような構成の録画再生装置の動作について、図３以下のシステム制御部１８による制御手順を示すフローチャート及びモニタ２０の表示画面を示す模式図を参照して以下に説明する。まず図３及び図４に分割して示したシステム制御部１８による制御手順のメインルーチンを示すフローチャートを参照して、録画再生装置の動作について説明する。
【００５０】
なお、録画再生装置１には主電源がオフであっても常時待機電力が供給されており、これによってシステム制御部１８は最低限の制御を常時行なっている。システム制御部１８はリモコン装置３０の電源ボタン３１がオン操作されて録画再生装置１の主電源がオンされるまで待機している（ステップＳ１１でＮＯ）。主電源がオンされると（ステップＳ１１でＹＥＳ）、システム制御部１８は主電源が前回オフされた時点でチューナ部１２が選択していたチャネルをそのまま選択させることにより、そのチャネルのＴＶ信号をグラフィックコントローラ１７からモニタ２０にそのまま表示させる（ステップＳ１２）。
【００５１】
この後、システム制御部１８は何らかの指示があるまで待機する状態になる。具体的には、再生指示があったか否か（ステップＳ１３）、再生指示がない場合には（ステップＳ１３でＮＯ）、他のたとえばチャネルの変更指示等があったか否か（ステップＳ１４）、を監視している。チャネル変更等の他の指示があった場合（ステップＳ１３でＮＯ，ステップＳ１４でＹＥＳ）、システム制御部１８はその指示を実行する（ステップＳ１５）。
【００５２】
再生指示があった場合（ステップＳ１３でＹＥＳ）、具体的にはリモコン装置３０の再生ボタン３９又は録画リストボタン３２が操作された場合、システム制御部１８はグラフィックコントローラ１７に指示を与えることにより、図５にその模式図を示すようなタイトル選択画面の初期画面をモニタ２０に表示する（ステップＳ１６）。
【００５３】
図５に示すように、タイトル選択画面の初期画面には、モニタ２０の表示画面２０Ｓの上端部の左右方向全体に「録画リスト」の表示であることを示すメッセージ欄２００が表示され、その下側の部分が左右方向に二分割されたそれぞれには第１の記録媒体１５１であるＨＤＤ用の表示領域（以下、ＨＤＤ用表示領域２１０という）と、第２の記録媒体１５２であるＢＤ用の表示領域（以下、ＢＤ用表示領域２２０という）とが設定されている。両表示領域２１０，２２０の画面構成は基本的には同一である。即ち、両表示領域２１０，２２０は、記録媒体の種類を示す媒体名表示領域２０１，２０２がそれぞれの上端に、両記録媒体１５１，１５２にそれぞれ複数が記録されている動画像ファイルの内の所定の動画像ファイルが再生表示されるサムネイル表示欄２１１，２２１、リモコン装置３０の操作の案内が表示される操作ガイド表示欄２１２，２２２、それぞれの記録媒体（ＨＤＤ，ＢＤ）１５１，１５２に記録されている動画像ファイルを特定するための文字情報、具体的にはタイトルの一覧を文字表示するタイトルリスト表示欄２１３，２２３等で構成されている。
【００５４】
図６はステップＳ１６のタイトル選択画面の初期画面をモニタ２０に表示するためのシステム制御部１８によるサブルーチンの処理手順を示すフローチャートである。まず、システム制御部１８はグラフィックコントローラ１７に指示を与えてタイトル選択画面を表示するために必要なデータをＯＳＤ用データメモリ１７０から読み込む（ステップＳ４１）。なお、以下においては必要に応じてＯＳＤ用データメモリ１７０からＯＳＤ用のデータがグラフィックコントローラ１７により適宜読み出されてタイトル選択画面の表示に利用される。
【００５５】
次にシステム制御部１８はグラフィックコントローラ１７に指示を与えて、上述のようにしてＯＳＤ用データメモリ１７０から読み出されたデータを使用してタイトル選択画面を構成させ、各表示欄をモニタ２０に表示させる（ステップＳ４２）。次にシステム制御部１８は、両記録媒体１５１，１５２それぞれにおいて、サムネイルを表示するための所定の、即ち初期表示用の動画像ファイルを選択する。具体的には、それぞれの記録媒体１５１，１５２において、未再生、即ち一度も再生されたことがない動画像ファイルの内の記録終了時刻が最も遅い動画像ファイルの記録終了時刻と、前回再生された動画像ファイルの再生終了時刻とを比較し、それらの内のより遅い時刻の方の動画像ファイルを初期表示用の動画像ファイルとして選択する（ステップＳ４３）。
【００５６】
次にシステム制御部１８は、両記録媒体１５１，１５２それぞれにおいて選択された初期表示用の動画像ファイルをグラフィックコントローラ１７に指示を与えて、それぞれの表示領域２１０，２２０のサムネイル表示欄２１１，２２１にサムネイルで再生表示させる（ステップＳ４４）。そしてシステム制御部１８は初期表示用の動画像ファイルのタイトルを基準として所定数のタイトルをそれぞれの記録媒体１５１，１５２から読み出し、グラフィックコントローラ１７に指示を与えて、両表示領域２１０，２２０のタイトルリスト表示欄２１３，２２３に表示させる（ステップＳ４５）。なおこの際、両表示領域２１０，２２０のタイトルリスト表示欄２１３，２２３にそれぞれ表示されているタイトルの内の初期表示用の動画像ファイル、換言すればそれぞれのサムネイル表示欄２１１，２２１に再生表示されている動画像ファイルのタイトルが強調表示される（ステップＳ４６）。
【００５７】
次に、システム制御部１８はグラフィックコントローラ１７に指示を与えて、通常録画用として設定されている記録媒体１５１（又は１５２）用のＨＤＤ用表示領域２１０（又はＢＤ用表示領域２２０）が選択されているとして強調表示させると共に、選択されている記録媒体であるＨＤＤ（又はＢＤ）用の操作ガイドを選択されているＨＤＤ用表示領域２１０（又はＢＤ用表示領域２２０）の操作ガイド表示欄２１２（又は２２２）に表示させる（ステップＳ４７）。またシステム制御部１８はグラフィックコントローラ１７に指示を与えて、通常録画用として設定されていない方の記録媒体１５２（又は１５１）用の表示領域２２０（又は２１０）の操作ガイド表示欄２２２（又は２１２）に、選択されていない記録媒体用の操作ガイドを表示させる（ステップＳ４８）。以上により図５に示すようなタイトル選択画面の初期画面が表示される。
【００５８】
図５に示す状態は、一例としてユーザが通常録画用に使用する記録媒体を第１記録媒体１５１であるＨＤＤに設定している場合の初期画面である。この場合、メッセージ欄２００に、ＨＤＤが選択されていること、リモコン装置２０のＢＤボタン３４の操作によって第２記録媒体１５２であるＢＤが選択されることがメッセージとして表示されている。このように第１記録媒体１５１であるＨＤＤが選択されている場合には、両媒体名表示領域２０１，２０２の内の選択されている方の媒体名「ＨＤＤ」の表示欄２０１が強調表示される。勿論、言うまでもないが第２記録媒体１５２であるＢＤが選択されている場合には媒体名「ＢＤ」の表示欄２０２が強調表示される。
【００５９】
また、両サムネイル表示欄２１１，２２１には、それぞれの記録媒体１５１（ＨＤＤ），１５２（ＢＤ）に記録されている複数の動画像ファイルの内の所定の動画像ファイルが初期表示用の動画像ファイルとして縮小されて動画像のサムネイルで再生表示される。いずれの動画像ファイルがそれぞれのサムネイル表示欄２１１，２２１に表示されているか、換言すればいずれの動画像ファイルが選択されているかはそれぞれのタイトルリスト表示欄２１３，２２３に表示されているタイトルリストの内の強調表示されているタイトルで示される。
【００６０】
なお、図５に示すタイトル選択画面の初期画面においては両サムネイル表示欄２１１，２２１に前述したようにそれぞれ初期表示用の動画像ファイルのサムネイルが表示される。より具体的には、前回再生していた動画像ファイルの再生が終了した時刻以後に記録が終了した未再生の動画像ファイルが有る場合はその未再生の動画像ファイルが最初から再生される。一方、前回再生していた動画像ファイルの再生が終了した時刻以後に記録が終了した未再生の動画像ファイルが無い場合は前回再生していた動画像ファイルが前回の再生が終了した時点から（最後まで再生されていた場合は最初から）再生される。
【００６１】
ところで、タイトルリスト表示欄２１３，２２３に表示可能なタイトルリストの数には限度があるので、サムネイル表示欄２１１，２２１に再生表示される動画像ファイルのタイトルが上端に位置されて強調表示され、他のタイトルはたとえば記録開始時刻の順に所定数のみが表示される。なお、タイトルリスト表示欄２１３，２２３に表示されていないタイトルに関しては上下方向のスクロール表示が可能である。
【００６２】
選択されている第１記録媒体１５１（ＨＤＤ）のＨＤＤ表示領域２１０の操作ガイド表示欄２１２には、強調表示により選択されていることが示されているタイトルの動画像ファイルがリモコン装置３０の再生ボタン３９の操作（再生指示の操作）により全画面表示されること、タイトルリスト表示欄２１３内で強調表示により選択されていることが示されているタイトルを十字キー３６の上下のキーの操作により変更することが可能であること、リモコン装置３０の録画リストボタン３２を操作すればこのタイトル選択画面（録画リスト）の表示を終了すること等の案内が表示されている。また、選択されていない第２記録媒体１５２（ＢＤ）のＢＤ表示領域２２０の操作ガイド表示欄２２２には、リモコン装置３０のＢＤボタン３４の操作により記録媒体の選択をＨＤＤからＢＤへ切り換えられることの案内が表示されている。
【００６３】
以上のようにしてタイトル選択画面の初期画面が表示されると、システム制御部１８は内蔵タイマの計時値をリセットし（ステップＳ１７）、媒体の切り換え（選択の変更）の指示が有ったか否かを判断する（ステップＳ１８）。たとえば、図５に示されている状態ではＨＤＤ（第１記録媒体１５１）が選択されているが、その状態からＢＤ（第２記録媒体１５２）に選択が切り換えられたと判断された場合（ステップＳ１８でＹＥＳ）、システム制御部１８はグラフィックコントローラ１７に指示を与えることにより、新たに選択された方の表示領域（この場合はＢＤ用表示領域２２０）を強調表示させる（ステップＳ１９）。この際もシステム制御部１８は内蔵タイマの計時値をリセットする（ステップＳ２０）。これは、ユーザが何らかの操作を行なう都度、その時点からの経過時間を計時するためである。
【００６４】
なお、上述のようにして媒体の選択が切り換えられた場合、たとえば図５に示すＨＤＤが選択されている状態からＢＤが選択されている状態に切り換えられた場合には、新たに選択されたＢＤ用表示領域２２０の表示状態が図５に示すＨＤＤ用表示領域２１０と同様の表示状態になり、逆に選択が解除されたＨＤＤ用表示領域２１０の表示状態が図５に示すＢＤ用表示領域２２０と同様の表示状態になる。
【００６５】
次に、媒体が切り換えられたか否かには拘わらず、システム制御部１８はタイトルの選択が行なわれたか否かを判断する（ステップＳ２１）。即ち、システム制御部１８はリモコン装置３０の十字キー３６の上方向（又は下方向）キーが操作された場合（ステップＳ２１でＹＥＳ）、選択されている表示領域２１０又は２２０のタイトルリスト表示欄２１３又は２２３において選択されている（強調表示されている）タイトルの上（又は下）に表示されているタイトルが選択されたとして受け付け、強調表示する（ステップＳ２２）。この際もシステム制御部１８は内蔵タイマの計時値をリセットする（ステップＳ２３）。これは、ユーザが何らかの操作を行なう都度、その時点からの経過時間を計時するためである。
【００６６】
次に、タイトルの選択が行なわれたか否かには拘わらず（ステップＳ２１でＮＯの場合，又はＳ２３の処理後）、システム制御部１８は再生指示が行なわれたか否かを判断する（ステップＳ２４）。即ち、システム制御部１８はリモコン装置３０の再生キー３９が操作された場合（ステップＳ２４でＹＥＳ）、選択されている表示領域２１０又は２２０のタイトルリスト表示欄２１３又は２２３において選択されている（強調表示されている）タイトルで特定される動画像ファイルの再生指示を受け付け、再生が指示された動画像ファイルを記録媒体１５１又は１５２から読み出し、グラフィックコントローラ１７に指示を与えてモニタ２０の画面２０Ｓに全画面表示で再生させる（ステップＳ２７）。
【００６７】
以上により、ユーザはモニタ２０にタイトル選択画面が表示されていない状態、たとえばＴＶ放送が表示されている状態において再生キー３９又は録画リストボタン３２を操作することにより図５に示すようなタイトル選択画面の初期画面を表示させることができる。そしてユーザは、希望する、即ち視聴したい動画像ファイルが初期画面で選択されていない方の記録媒体に記録されていることが判明している場合にはリモコン装置３０のＢＤボタン３４又はＨＤＤボタン３３の操作により記録媒体の選択、即ちＨＤＤ用表示領域２１０が選択されている場合はＢＤ用表示領域２２０へ、又はその逆に選択を切り換える。ユーザは選択した表示領域２１０又は２２０のタイトルリスト表示欄２１３又は２２３に一覧表示されているタイトルから希望するタイトルをリモコン装置３０の十字キー３６の上方向又は下方向キーを操作して選択する。このようにしてユーザが希望するタイトルを選択するとそのタイトルが強調表示されると共に、そのタイトルで特定される動画像ファイルのサムネイルがサムネイル表示欄２１１又は２２１に表示される。
【００６８】
換言すれば、ユーザがリモコン装置３０の十字キー３６の上方向キー又は下方向キーを操作することにより、タイトルリスト表示欄２１３又は２２３に一覧表示上されているタイトル上で強調表示が上方向又は下方向に順次的に移動し、強調表示されているタイトルで特定される動画像ファイルの内容がサムネイルで表示される。従って、ユーザは、希望する動画像ファイルのタイトルが不明な場合でも、あるいは暇潰しにいずれかの動画像ファイルを視聴するような場合でも、一覧表示されたタイトル上で強調表示を順次的に移動させつつ、サムネイルの内容を確認することによって希望する動画像ファイルを容易に見付けることが可能である。
【００６９】
ユーザはこのようにしてサムネイル表示欄２１１又は２２１に表示されるサムネイルで動画像ファイルの内容を確認し、もし一方の記録媒体に希望する動画像ファイルが記録されていない場合には、モニタ２０の同一の画面に表示されている他方の記録媒体用の表示領域に選択を切り換えることにより、他方の記録媒体から希望する動画像ファイルを見付けることが可能である。従来は一旦動画像ファイルの再生を開始した後にそれがユーザが希望しないものであると判明した場合には、ユーザは再生を停止した後に録画リストを再度一覧表示して選択をやり直す必要があった。特に、複数の記録媒体が備えられている場合には記録媒体の選択の切り換えも行なう必要があった。しかし、本発明装置では上述のように、ユーザは、希望する動画像ファイルを見付けるために選択、再生、停止、再選択を反復する必要が無く、更に複数の記録媒体が備えられている場合にもモニタの画面上でそれぞれの記録媒体用の表示領域の選択を切り換えるのみでよい。
【００７０】
なお、先のステップＳ２４において再生の指示が無い場合は（ステップＳ２４でＮＯ）、システム制御部１８は内部タイマの計時値が所定値に達しているか、即ちタイムアップしたか否かを判断する（ステップＳ２５）。タイムアップしていない場合（ステップＳ２５でＮＯ）、システム制御部１８は処理をステップＳ１８へ戻す。タイムアップしている場合（ステップＳ２５でＹＥＳ）、システム制御部１８はその時点、即ちタイムアップした時点で選択されている（強調表示されている）タイトルで特定される動画像ファイルを記録媒体１５１又は１５２から読み出し、グラフィックコントローラ１７に指示を与えてモニタ２０の画面に全画面表示で再生する（ステップＳ２６）。
【００７１】
従って、タイトル選択画面が表示されている状態でユーザが何等の操作も行なわないままに所定時間が経過すると、その時点で選択されているタイトルで特定される動画像ファイルが自動的にモニタ２０に全画面表示で再生される。
【００７２】
いずれにしろ、いずれかの記録媒体１５１又は１５２に記憶されている動画像ファイルがモニタ２０の画面に全画面表示で再生され始めると、システム制御部１８はタイトルリストの表示が指示されたか否か、即ちタイトル選択画面の表示が指示されたか否かを監視しつつ動画像ファイルの再生表示を継続する（ステップＳ２８でＮＯ）。ユーザがリモコン３０の録画リストボタン３２を操作するとシステム制御部１８はタイトルリストの表示の指示があったと判断して受け付け（ステップＳ２８でＹＥＳ）、グラフィックコントローラ１７に指示を与えてタイトル選択画面をモニタ２０に表示させる（ステップＳ２９）。この後、システム制御部１８は内蔵タイマの計時値をリセットして（ステップＳ３０）ステップＳ１８へ処理を戻し、前述同様に媒体の切り換え（選択の変更）の指示が有ったか否かの判断以降の処理を反復する。
【００７３】
なお、ステップＳ２９において表示されるタイトル選択画面は基本的には図５に示したタイトル選択画面の初期画面と同様の画面であるが、リモコン３０の録画リストボタン３２が操作された時点で選択されていた記録媒体１５１（又は１５２）に対応するＨＤＤ表示領域１１０（又はＢＤ表示領域１２０）が選択された状態で強調表示され、しかも強調表示されているＨＤＤ表示領域１１０（又はＢＤ表示領域１２０）のタイトルリスト表示欄２１３（又は２２３）のリモコン３０の録画リストボタン３２が操作された時点でモニタ２０に全画面表示で再生されていた動画像ファイルのタイトルが選択された状態で強調表示されている。なお、他方のＢＤ表示領域１２０（又はＨＤＤ表示領域１１０）のタイトルリスト表示欄２２３（又は２１３）では、先に動画像ファイルが全画面表示された時点で選択されていたタイトルが選択されて強調表示される。
【００７４】
なお、いうまでもないが、いずれの表示領域１１０，１２０においてもそれぞれのタイトルリスト表示欄２１３，２２３で強調表示されているタイトルで特定される動画像ファイルのサムネイルがそれぞれのサムネイル表示欄２１１，２２１にサムネイルで表示されることは初期画面と同様である。
【００７５】
図７は本発明の他の実施の形態を説明するための、図５にその模式図を示したタイトル選択画面の他の構成例を示す模式図である。
【００７６】
図７に示されているタイトル選択画面では、基本的な画面構成は図５に示した例と同様であるが、それぞれの表示領域２１０，２２０において選択されている動画像ファイルがそれぞれの領域２１０，２２０の横幅一杯に設定されたサムネイル表示欄２１１，２２１に大きく表示されている。そして、これらのサムネイル表示欄２１１，２２１の右寄りの部分にタイトルリスト表示欄２１３，２２３が重畳して表示されている。なおこのようなサムネイル表示欄２１１，２２１にタイトルリスト表示欄２１３，２２３をそれぞれ重畳して表示させることはグラフィックコントローラ１７のＯＳＤ処理により可能である。
【００７７】
ところで、図７の模式図に示すタイトル選択画面はいわゆる画面のアスペクト比が１６：９のワイド画面に二つの記録媒体に対応してモニタ２０の画面を二つの記録媒体それぞれのための表示領域２１０，２２０に分割しているので、それぞれのサムネイル表示欄２１１，２２１には動画像ファイルのサムネイルが表示されている。しかし、記録媒体が一つのみ備えられている場合、または記録媒体が二つ備えられている場合であってもその内の一つのみに関してタイトル選択画面を表示させる場合には、動画像ファイルを全画面表示で再生してタイトルリスト表示欄を重畳することが可能である。
【００７８】
図８は本発明の更に他の実施の形態を説明するためのタイトル選択画面の構成例を示す模式図である。なおこの図８に示すタイトル選択画面は、画面のアスペクト比が３：４の一般的なＴＶモニタの全画面に動画像ファイルが再生表示されており、それに他の各表示欄が重畳表示されている。
【００７９】
図８に示されているタイトル選択画面では、基本的な画面構成は図５及び図７に示した例と同様であるが、一つの記録媒体のためのタイトルリストのみが表示されている。モニタ２０の画面には選択されている動画像ファイルが通常の再生時と同様に全画面表示されている。そして、この全画面表示された動画像ファイルの再生画像の右寄りの部分にタイトルリスト表示欄２１３が、左寄りの部分に操作ガイド表示欄２１２がそれぞれ重畳して表示されている。なおこのような動画像ファイルをモニタ２０の画面に全画面表示で再生した画像にタイトルリスト表示欄２１３及び操作ガイド表示欄２１２をそれぞれ重畳して表示させることはグラフィックコントローラ１７のＯＳＤ処理により可能である。
【００８０】
なお、図８に示す例ではＨＤＤとＢＤとの二つの記録媒体を備えている場合にその内の一方（図８ではＨＤＤ）のみに記録されている動画像ファイルのタイトル選択画面を表示し、リモコン装置３０の操作により他方（図８ではＢＤ）に記録されている動画像ファイルのタイトル選択画面を切り換え表示することが可能である。しかし、たとえば記録媒体としてＨＤＤのみを有している最も一般的な場合では、記録媒体の切り換えが行なえない点を除いて図８に示す例と同様のタイトル選択画面を表示することが可能であることはいうまでもない。
【００８１】
以上に詳述したように本発明に係る動画像再生表示装置によれば、ユーザは視聴したい動画像情報を全画面表示で再生表示させつつ、再生の停止、選択、再度の再生開始という操作を行なうことなしに、しかも小さな画面であっても十分に大きい画像で確認しつつ選択することが可能になる。また、新たな動画像情報が記録されていない場合には前回再生していた動画像情報が、新たな動画像情報が記録されている場合にはその動画像情報がそれぞれ初期表示用の動画像情報として選択されるので、ユーザにとっては視聴したい動画像情報をその時点で直ちに選択出来る可能性が高い。更に、ユーザは現在再生表示されている動画像情報の特定情報、たとえばタイトル等を容易に知ることが可能である。
【００８２】
また本発明に係る動画像再生表示装置によれば、ユーザは複数の記録媒体に記録されている動画像情報の内から視聴したい動画像情報を同一の画面で再生表示させつつ、再生の停止、選択、再度の再生開始という操作を行なうことなしに確認しつつ選択することが可能になる。また、複数の記録媒体それぞれに記録されている複数の動画像情報それぞれを特定する画像特定情報の一覧が表示画面の複数の記録媒体それぞれに割り当てられた表示領域に再生表示される動画像情報に重畳して表示されるので、ユーザは比較的大きく再生表示される動画像情報を確認することが可能になる。更に、動画像情報と画像特定情報の一覧とが表示画面の複数の記録媒体それぞれに割り当てられた表示領域内で重畳しないように表示されるので、ユーザは比較的小さいが、他の情報が重畳して表示されない状態で再生表示される動画像情報を確認することが可能になる。
【００８３】
更にまた本発明に係る動画像再生表示装置によれば、複数の記録媒体それぞれにおいて新たな動画像情報が記録されていない場合には前回再生していた動画像情報が、新たな動画像情報が記録されている場合にはその動画像情報がそれぞれ初期表示用の動画像情報として選択されるので、ユーザにとっては視聴したい動画像情報をその時点で直ちに選択出来る可能性が高い。また更に、ユーザは現在再生表示されている動画像情報の特定情報、たとえばタイトル等を容易に知ることが可能である。
【００８４】
なお、上述の実施の形態では二つの記録媒体に対応してモニタの画面を二分割する例について説明したが、三つ以上の記録媒体を備える場合には、それぞれの記録媒体に対応してモニタの画面を三分割以上に分割するように構成することは容易に可能である。
【図面の簡単な説明】
【００８５】
【図１】本発明に係る動画像再生表示装置を、一般的なＴＶ放送を録画し、再生することが可能な録画再生装置として実現した場合の構成例を示すブロック図である。
【図２】本発明に係る動画像再生表示装置のユーザインタフェイス部としてのリモートコントロール装置（リモコン装置）に備えられた各種のボタン，スイッチ等の配置状態を示す模式図である。
【図３】本発明に係る動画像再生表示装置のシステム制御部による制御手順のメインルーチンを示すフローチャートである。
【図４】本発明に係る動画像再生表示装置のシステム制御部による制御手順のメインルーチンを示すフローチャートである。
【図５】本発明に係る動画像再生表示装置のタイトル選択画面の初期画面の模式図である。
【図６】本発明に係る動画像再生表示装置のタイトル選択画面の初期画面をモニタに表示するためのシステム制御部によるサブルーチンの処理手順を示すフローチャートである。
【図７】本発明に係る動画像再生表示装置の他の実施の形態を説明するための、図５にその模式図を示したタイトル選択画面の他の構成例を示す模式図である。
【図８】本発明の更に他の実施の形態を説明するためのタイトル選択画面の構成例を示す模式図である。
【符号の説明】
【００８６】
１５１  第１記録媒体
１５２  第２記録媒体
１７  グラフィックコントローラ
１８  システム制御部
１９  ユーザインタフェイス
１７０  ＯＳＤ用データメモリ
２０  モニタ
３０  リモートコントロール装置（ユーザインタフェイス）
３２  録画リストボタン
３３  ＨＤＤボタン
３４  ＢＤボタン
３６  十字キー
３７  決定キー
３９  再生キー
２０１，２０２  媒体名表示領域
２１０  ＨＤＤ用表示領域
２１１，２２１  サムネイル表示欄
２１３，２２３  タイトルリスト表示欄
２２０  ＢＤ用表示領域
【図１】
0004667212.tif 000002
【図２】
0004667212.tif 000003
【図３】
0004667212.tif 000004
【図４】
0004667212.tif 000005
【図５】
0004667212.tif 000006
【図６】
0004667212.tif 000007
【図７】
0004667212.tif 000008
【図８】
0004667212.tif 000009